(57)【要約】【課題】（イ）従来の筆記具のクリップは、ポケットの上部分等に引っ掛ける目的で使用されてきたものが多かった。（ロ）従来の筆記具と耳かき棒は別々だった。したがって、勉強中や仕事中等、突然、耳穴の中が痒くなった場合、手の指や筆記具のキャップ等の異物を挿入するしか方法がなく、奥まで入っていかず、痒みも満足に取れず、耳垢もきれいに取り除くことができなかった。それから、耳穴の中を傷つける危険性があった。（ハ）従来の耳かき棒は、丈が長く、収納が困難であり、携帯することに不便だった。それから、携帯した場合、紛失する恐れがあった。【解決手段】  筆記具本体（１Ａ）の側面部に連結部（５）をつけ、その側面部に大筒（４）をつけ、その内側下部に止め部（６）をつけ、外筒（３Ａ）の中にスライド可能な中筒（３Ｂ）を収納し、そのスライド可能な中筒（３Ｂ）の中にスライド可能な耳かき部（３Ｃ）を収納し、耳かき棒小（３）として大筒（４）の中に収納し引き抜き可能にする。【選択図】  図５
2006015588.tif 000002
【特許請求の範囲】
【請求項１】
筆記具本体（１Ａ）の側面部に連結部（５）をつけ、その側面部に大筒（４）をつけ、その内側下部に止め部（６）をつけ、外筒（３Ａ）の中にスライド可能な中筒（３Ｂ）を収納し、そのスライド可能な中筒（３Ｂ）の中にスライド可能な耳かき部（３Ｃ）を収納し、耳かき棒小（３）として大筒（４）の中に収納し引き抜き可能にした伸縮自在の耳かき棒付筆記具。
【請求項２】
キャップ（２Ｂ）の側面部に連結部（５）をつけ、その側面部に大筒（４）をつけ、その内側下部に止め部（６）をつけ、外筒（３Ａ）の中にスライド可能な中筒（３Ｂ）を収納し、そのスライド可能な中筒（３Ｂ）の中にスライド可能な耳かき部（３Ｃ）を収納し、耳かき棒小（３）として大筒（４）の中に収納し引き抜き可能にした伸縮自在の耳かき棒付筆記具。
【請求項３】
外筒（３Ａ）の右側面部の下部に止め部（６）をつけ、外筒（３Ａ）の右側面部の上部に連結部（５）をつけ、その右側面部にキャップ（２Ａ）をつけ、外筒（３Ａ）の中にスライド可能な中筒（３Ｂ）を収納し、そのスライド可能な中筒（３Ｂ）の中にスライド可能な耳かき部（３Ｃ）を収納し、キャップ付耳かき棒小（３ｄ）として筆記具本体（１Ｃ）の上端につけ取り外し可能にした伸縮自在の耳かき棒付筆記具。
【発明の詳細な説明】
【技術分野】
【０００１】
本発明は、従来の筆記具のクリップ部分に伸縮自在の耳かき棒を付け、同時にクリップの機能も有する筆記具（ボールペン、シャープペンシル、サインペン、万年筆等）に関する。
【背景技術】
【０００２】
従来の筆記具は、文字や図などを書く道具として使用されてきた物が多く、クリップ部分は、ポケットの上部分等に引っ掛ける目的で使用されてきたものが多かった。
【０００３】
従来の耳かき棒は、耳穴の中に挿入し、痒みを取り、耳垢を取り除きやすいように丈が長く作られていた。
【特許文献１】特開平１１−１９７０５１
【特許文献２】特開平１１−２４４１８６
【特許文献３】特開平  ８−５２０９１
【特許文献４】特開平１１−１５５７５６
【特許文献５】特開２００１−１８０１８６
【特許文献６】特開２００２−１９３８４
【特許文献７】特開２００３−３２０７８８
【特許文献８】特開２００３−２００６９５
【特許文献９】特開平１０−２４６９３
【特許文献１０】特開平１１−３２１１８４
【特許文献１１】特開平１１−３１４４９２
【非特許文献１】「URL：http://www.kenko.com/product/item/itm_6651028072.html」ケンコーコム，２００４年，６月３０日現在。
【発明の開示】
【発明が解決しようとする課題】
【０００４】
従来の筆記具のクリップは、ポケットの上部分等に引っ掛けることで、筆記具を取り出しやすくしたり、落としたり紛失したりすることを防止する目的で使用されてきたものが多かった。
【０００５】
従来の筆記具と耳かき棒は別々だった。したがって、勉強中や仕事中等、突然、耳穴の中が痒くなった場合、手の指や筆記具の尖端・キャップ等の異物を挿入するしか方法がなく、奥まで挿入できず、痒みも取れず、耳垢も上手く取り除くことができなかった。それから、耳穴の中を傷つける危険性があった。
【０００６】
従来の耳かき棒は、丈が長く、収納が困難であり、携帯することに不便だった。それから、携帯した場合、紛失する恐れがあった。
【課題を解決するための手段】
【０００７】
図６が示すように、筆記具本体（１Ａ）の側面部に連結部（５）をつけ、その側面部に大筒（４）をつけ、その内側下部に止め部（６）をつける。次に、図７の外筒（３Ａ）の中にスライド可能な中筒（３Ｂ）を収納し、そのスライド可能な中筒（３Ｂ）の中にスライド可能な耳かき部（３Ｃ）を収納し、図５の耳かき棒小（３）として大筒（４）の中に収納し引き抜き可能にした伸縮自在の耳かき棒付筆記具を提供する。
【０００８】
図１１が示すように、キャップ（２Ｂ）の側面部に連結部（５）をつけ、その側面部に大筒（４）をつけ、その内側下部に止め部（６）をつける。次に、図７の外筒（３Ａ）の中にスライド可能な中筒（３Ｂ）を収納し、そのスライド可能な中筒（３Ｂ）の中にスライド可能な耳かき部（３Ｃ）を収納し、図１０の耳かき棒小（３）として大筒（４）の中に収納し引き抜き可能にした伸縮自在の耳かき棒付筆記具を提供する。
【０００９】
図１５が示すように、図７の外筒（３Ａ）の右側面部の下部に止め部（６）をつけ、外筒（３Ａ）の右側面部の上部に連結部（５）をつけ、その右側面部にキャップ（２Ｃ）をつける。次に、外筒（３Ａ）の中にスライド可能な中筒（３Ｂ）を収納し、そのスライド可能な中筒（３Ｂ）の中にスライド可能な耳かき部（３Ｃ）を収納し、図１３のキャップ付耳かき棒小（３ｄ）として筆記具本体（１Ａ）の上端につけ取り外し可能にした伸縮自在の耳かき棒付筆記具を提供する。
【発明の効果】
【００１０】
耳かき棒に新たに伸縮性の機能を加えることによって、丈が短くなり、筆記具に取り付け可能になり、勉強中、仕事中又は予期しない時に突然、耳穴の中が痒くなった場合、携帯している筆記具から伸縮自在の耳かき棒（耳かき棒小）を取り外し、引き伸ばし、完全に伸ばした状態で、耳穴の中に挿入し、痒みを取り、耳垢を取り除くことが可能になる。
【００１１】
それから、筆記具の先端部、手の指、爪楊枝、マッチ棒等の異物を挿入して耳穴の中を傷つける危険性がなくなり、別途耳かき棒を携帯する必要もない。
【発明の実施するための最良の形態】
【００１２】
＜実施例１、図４〜８を使って説明＞
図６が示すように、筆記具本体（１Ａ）の側面部に連結部（５）をつけ、その側面部に大筒（４）をつけ、その内側下部に止め部（６）をつける。次に、図７の外筒（３Ａ）の中にスライド可能な中筒（３Ｂ）を収納し、そのスライド可能な中筒（３Ｂ）の中にスライド可能な耳かき部（３Ｃ）を収納し、図５の耳かき棒小（３）として大筒（４）の中に収納する。
【００１３】
耳かき棒を使用するときは、大筒（４）の中に収納されている耳かき棒小（３）を引き抜き、図７になる。次に、外筒（３Ａ）の中からスライド可能な中筒（３Ｂ）を引き出し、そのスライド可能な中筒（３Ｂ）の中からスライド可能な耳かき部（３Ｃ）を引き出し、図８の完全に伸ばした状態になる。次に、耳穴の中に挿入し、痒みを取り、耳垢を取り除くことが可能になる。
【００１４】
図７が示すように、使用後は、スライド可能な耳かき部（３Ｃ）をスライド可能な中筒（３Ｂ）の中に収納し、そのスライド可能な中筒（３Ｂ）を外筒（３Ａ）の中に収納し、図５の大筒（４）の中に収納する。それから、従来の筆記具とクリップの機能も有し、異物を挿入することによって耳穴の中を傷つける危険性もなくなる。
【００１５】
＜実施例２、図７，図８，図９〜１１を使って説明＞
図１１が示すように、キャップ（２Ｂ）の側面部に連結部（５）をつけ、その側面部に大筒（４）をつけ、その内側下部に止め部（６）をつける。次に、図７の外筒（３Ａ）の中にスライド可能な中筒（３Ｂ）を収納し、その中筒（３Ｂ）の中にスライド可能な耳かき部（３Ｃ）を収納し、図１０の耳かき棒小（３）として大筒（４）の中に収納する。
【００１６】
図１０が示すように、耳かき棒を使用するときは、大筒（４）の中に収納されている耳かき棒小（３）を引き抜き、図７になる。以下、実施例１に準ずる。
【００１７】
使用後は、以下、実施例１に準ずる。
【００１８】
＜実施例３、図１２〜１５を使って説明＞
図１５が示すように、図７の外筒（３Ａ）の右側面部の下部に止め部（６）をつけ、外筒（３Ａ）の右側面部の上部に連結部（５）をつけ、その右側面部にキャップ（２Ａ）をつける。次に、外筒（３Ａ）の中にスライド可能な中筒（３Ｂ）を収納し、そのスライド可能な中筒（３Ｂ）の中にスライド可能な耳かき部（３Ｃ）を収納し、図１４が示す筆記具本体（１Ｃ）の上端にキャップ付耳かき棒小（３ｄ）をつけ図１３になる。
【００１９】
図１５が示すように、使用するときは、キャップ付耳かき棒小（３ｄ）を図１３の筆記具本体（１Ｃ）の上端から取り外し、外筒（３Ａ）の中からスライド可能な中筒（３Ｂ）を引き出し、そのスライド可能な中筒（３Ｂ）の中からスライド可能な耳かき部（３Ｃ）を引き出し、図１６の完全に伸ばした状態になる。以下、実施例１，２に準ずる。
【００２０】
図１５に示すように、使用後は、スライド可能な耳かき部（３Ｃ）をスライド可能な中筒（３Ｂ）の中に収納し、そのスライド可能な中筒（３Ｂ）を外筒（３Ａ）の中に収納し、キャップ付耳かき棒小（３ｄ）になる。次に、図１４に示す本体（１Ｃ）の上端につけ図１３になる。以下、実施例１，２に準ずる。
【図面の簡単な説明】
【００２１】
【図１】従来筆記具の側面図１
【図２】従来筆記具の側面図２
【図３】従来筆記具の側面図３
【図４】本発明の正面図（実施例１）
【図５】Ａ−Ａ断面図（〃）
【図６】本発明の断面図（〃）
【図７】本発明の断面図（実施例１，２，３）
【図８】本発明の縦断面図（〃）
【図９】本発明の正面図（実施例２）
【図１０】Ｂ−Ｂ断面図（〃）
【図１１】本発明の断面図（〃）
【図１２】本発明の正面図（実施例３）
【図１３】Ｃ−Ｃ断面図（〃）
【図１４】本発明の断面図（〃）
【図１５】本発明の断面図（〃）
【図１６】本発明の縦断面図（〃）
【図１７】使用状態を表す図（実施例１，２，３）
【符号の説明】
【００２２】
１Ａ  筆記具本体
１Ｂ  筆記具本体
１Ｃ  筆記具本体
２Ａ  キャップ
２Ｂ  キャップ
２Ｃ  キャップ
３    耳かき棒小
３Ａ  上筒
３Ｂ  スライド可能な中筒
３Ｃ  スライド可能な耳かき部
３ｄ  キャップ付耳かき棒小
４    大筒
４Ａ  大筒付きキャップ１
４Ｂ  大筒付きキャップ２
５    連結部
６    止め部
Ｅ    クリップ
【図１】
2006015588.tif 000003
【図２】
2006015588.tif 000004
【図３】
2006015588.tif 000005
【図４】
2006015588.tif 000006
【図５】
2006015588.tif 000007
【図６】
2006015588.tif 000008
【図７】
2006015588.tif 000009
【図８】
2006015588.tif 000010
【図９】
2006015588.tif 000011
【図１０】
2006015588.tif 000012
【図１１】
2006015588.tif 000013
【図１２】
2006015588.tif 000014
【図１３】
2006015588.tif 000015
【図１４】
2006015588.tif 000016
【図１５】
2006015588.tif 000017
【図１６】
2006015588.tif 000018
【図１７】
2006015588.tif 000019